(57)【要約】  導電性ループを含むデバイスと共に使用するための遠隔モニタ可能な電子ロック装置であって、導電性ループの少なくとも一端に係合するために配置されて、ロック要素と導電性ループの端部とのロック解除がモニタ可能な事象をもたらすロック要素と、モニタ可能な事象の遠隔モニタ可能な表示を提供するように作動するロック要素と結合された無線通信装置を含む遠隔モニタ可能な電子ロック装置。【選択図】図１
2008519187.tif 000002
【特許請求の範囲】
【請求項１】
導電性ループを含むデバイスと共に使用するための遠隔モニタ可能な電子ロック装置であって、
ロック要素であって、前記導電性ループの少なくとも一端に係合するために配置されて、前記ロック要素と前記導電性ループの前記端部のロック解除がモニタ可能な事象をもたらすロック要素と；
前記モニタ可能な事象の遠隔モニタ可能な表示を提供するように作動する前記ロック要素と結合された無線通信装置；
を具備する遠隔モニタ可能な電子ロック装置。
【請求項２】
請求項１に記載され、前記導電性ループの整合性の混乱がモニタ可能な事象をもたらす遠隔モニタ可能な電子ロック装置。
【発明の詳細な説明】
【技術分野】
【０００１】
本発明は一般に、ロックとシールに関し、詳細にはセキュリティーネット、メッシュ、貨物又は貴重品の周囲に設置するための他の包装体サック、等と共に使用するための遠隔モニタ可能な電子ロック装置に関する。
【背景技術】
【０００２】
船、飛行機、鉄道又はトラックにより積まれた貴重品と貨物を改ざんと盗難から保護することは重要である。積荷ターミナルを通過する高価な貨物は、無法者により貨物を開放し且つ中身を盗み取られることを試みられやすい。従って、貨物をモニタし且つ中身を改ざんし、又は盗み取る試みに警告するための簡単で効果的な装置のための安定したニーズがある。
【発明の開示】
【０００３】
本発明は、貴重品をモニタし且つ中身を改ざんし、又は盗み取る試みに警告するための簡単で効果的な装置を提供することを目的とする。
【０００４】
従って、本発明の好適な実施形態に従って、導電性ループを含むデバイスと共に使用するための遠隔モニタ可能な電子ロック装置であって、導電性ループの少なくとも一端に係合するために配置されて、ロック要素と導電性ループの端部とのロック解除がモニタ可能な事象をもたらすロック要素と、モニタ可能な事象の遠隔モニタ可能な表示を提供するように作動するロック要素と結合された無線通信装置、を具備する遠隔モニタ可能な電子ロック装置が提供される。
【０００５】
導電性ループの整合性の混乱が、モニタ可能な事象をもたらすことが好ましい。
【０００６】
本発明は、図面と共に解釈される以下の詳細な記載から一層完全に納得され理解される。
【発明を実施するための最良の形態】
【０００７】
電子フィラメントネットと共に使用するための遠隔モニタロック装置の簡単な説明図である図１を参照する。図１で分るように、好ましくは第二の複数のワイア１４の横糸と共に編まれた第一の複数のワイア１２の縦糸を含む電子フィラメントネット１０は、遠隔モニタ可能な電子ロック装置１６に電気的に接続される。ワイア１２と１４を具備するネット１０は、米国特許第6,144,298号明細書の教示に従って構成されることが好ましく、その開示は引用することにより本明細書の記載に替えられる。
【０００８】
図１に示されるように、ネット１０は、保護される物体１８の全面を覆うことができる、又は物体１８を覆うために適当な布製品又は防水布などの材料に挿入できる。ネット１０を物体１８の全面に設置した後、ネット１０の結合端部の一つは、ループ２０を通り抜けてネットを物体１８に取り付けることが好ましい。ネット１０結合端部は次に、遠隔モニタ可能な電子ロック装置１６の端子２２の中に挿入されることが好ましい。
【０００９】
遠隔モニタ可能な電子ロック装置１６は、使用中のＲＦリンク又は他の適当な通信リンクなどの、好ましくは双方向の有線あるいは無線通信リンクを介してステーション２６などの遠隔モニタステーションと交信することが好ましい。適当な制御器が、遠隔モニタ可能な電子ロック装置１６のいずれかの部分を遠隔制御するために提供される。
【００１０】
機密事項を扱う文書を保管するためなどの保管封筒又は包装体と共に使用するための遠隔モニタロック装置の簡単な説明図である図２Ａと２Ｂを参照する。図２Ａと２Ｂで分るように、保管封筒５０は、棚５４の上などの保管場所を画成するループ５２に近接して配置される。文書５６は次に、保管封筒５０の中に挿入され、次に封筒を通り抜ける封止ワイア５８で封止される。封止ワイア５８が保管封筒５０を通り抜けた後、封止ワイア５８の結合端部の一つはループ５２を通り抜けてネットを棚５４に取り付けることが好ましい。封止アイア５８の結合端部は次に、遠隔モニタ可能な電子ロック装置６２の端子６０の中に挿入されることが好ましい。
【００１１】
遠隔モニタ可能な電子ロック装置６２は、使用中のＲＦリンク又は他の適当な通信リンクなどの、好ましくは双方向の有線あるいは無線通信リンクを介してステーション２６（図１）などの遠隔モニタステーションと交信することが好ましい。適当な制御器が、遠隔モニタ可能な電子ロック装置１６のいずれかの部分を遠隔制御するために提供される。
【００１２】
図１のロック装置１６又は図２Ｂのロック装置６２などの遠隔モニタ可能な電子ロック装置の簡単な説明図である図３を参照する。図３で分るように、遠隔モニタ可能な電子ロック装置７０は、図１のネット１０の結合端部又は図２の封止ワイア５８の結合端部などの、ケーブル８２と８４のコネクタ７８と８０と主にワイア７４と７６を介して電気的に接続された検出回路と送受信機部分７２を含むことが好ましい。コネクタ７８と８０の少なくとも一つは、ロック装置７０の一部を形成する対応するロック要素９０とロック可能に係合するようになっている好ましくは逃げ溝８８と共に形成されるロック可能なチップ８６を含むことが好ましい。ロック装置７０はまた、磁石９２を含むソケットも有する。ロック装置７０は、ここではキー操作されるロックを含むことが示され、そのことはいずれか他の適当なタイプのロックを使用できることが理解される。ロック装置７０は、機械的なキーによってロック可能であることが好ましいと分る。コネクタ７８とロック要素９０との間のロック係合は、最初にロックを解除することなしにはコネクタ７８をロック要素９０との係合から取り外すことが不可能であることが好ましい。
【００１３】
コネクタ７８と８０の少なくとも一つは、コネクタ７８がロック要素９０とロック可能な係合にあるとき磁石９２により閉鎖される一連の接続されたリードスイッチ９４を含むことが好ましい。
【００１４】
本発明の好適な実施形態に従って、検出回路と送受信機部分７２は、検出回路９６とＲＦ送受信機９８を含む。検出回路９６は、コネクタ７８と８０に電気的に連結され、またコネクタ７８がロック要素９０とロック可能な係合にあるとき、図１のネット１０又は図２の封止ワイア５８などのコネクタ７８と８０に接続されるデバイスにより画成される導電性ループの一部を感知する。
【００１５】
送受信機９８は検出回路９６から出力を受信し、導電性ループが変わっていないかどうかを示す伝達情報を提供するように作動される。
【００１６】
本発明の好適な実施形態によれば、送受信機９８は、選択可能な前もってセットされた距離にある導電性ループの状態を図１のステーション２６などの遠隔モニタステーションに伝達するように作動する。
【００１７】
従来の無線モニタ回路（図示せず）は、ＲＦ送受信機９８により伝達され、またコネクタ７８がロック要素９０とロック可能な係合に配置されるときと、キーを使用することによりコネクタ７８とロック要素９０の係合を解除してロック要素９０を解除するためコネクタ７８がロック要素９０から分離されるときを示す情報を受信するために使用できる。リードスイッチ９４と磁石９２を備えることにより、コネクタ７８がロック要素９０とロック可能な係合に配置されるときを検出回路９６が感知することを可能にし、また同様に導電性ループの整合性が改ざんによるなど変更されたときを検出回路９６が感知することを可能にすることが理解される。
【００１８】
本発明は、前述の本明細書に具体的に示され記載されたものに限定されないことが当業者により理解される。本発明の要旨は、従来技術にはない前述の記載を読了するとき当業者が思い付くその改良と変更のみならず前述の明細書に記載された特徴の組み合わせと副組み合わせの両方を含む。
【図面の簡単な説明】
【００１９】
【図１】図１は、本発明の好適な実施形態に従って構成され作動する、電子フィラメントネット又は電子フィラメントネットと一体形成される包装材料と共に使用するための遠隔モニタロック装置の簡単な説明図である。
【図２Ａ】図２Ａは、本発明の別の好適な実施形態に従って構成され作動する、保管封筒又は包装体と共に使用するための遠隔モニタロック装置の簡単な説明図である。
【図２Ｂ】図２Ｂは、本発明の別の好適な実施形態に従って構成され作動する、保管封筒又は包装体と共に使用するための遠隔モニタロック装置の簡単な説明図である。
【図３】図３は、図１−２Ｂの遠隔モニタロック装置の簡単な説明図である。
【図１】
2008519187.tif 000003
【図２Ａ】
2008519187.tif 000004
【図２Ｂ】
2008519187.tif 000005
【図３】
2008519187.tif 000006
【国際調査報告】
2008519187.tif 000007